(57)【要約】【課題】制駆動性能とコーナリング性能との両立を図ることができる空気入りタイヤを提供する。【解決手段】周方向溝２〜５と横溝６，７とによって画成される複数の陸部ブロック１０〜１３を備え、タイヤ装着方向が指定されてネガティブキャンバーに設定される空気入りタイヤ１である。タイヤ装着内側に配置された陸部ブロック１０，１１における周方向端縁の少なくとも一方側には、陸部ブロック１０，１１と同一幅寸法でトレッド幅方向に延びる幅方向段差部２０，３０が設けられる。タイヤ装着外側に配置された陸部ブロック１２における幅方向端縁のうち周方向溝２に隣接する側には、陸部ブロック１２と同一長さ寸法でタイヤ周方向に延びる周方向段差部４０を設けられる。幅方向段差部２０，３０および周方向段差部４０の最大高さは、陸部ブロック１０〜１３の高さよりも低い。【選択図】    図１
2011051431.tif 000002
【特許請求の範囲】
【請求項１】
タイヤ周方向に延びる周方向溝と、トレッド幅方向に延びる横溝とによって画成される複数の陸部ブロックを備え、タイヤ装着方向が指定されてネガティブキャンバーに設定される空気入りタイヤであって、
タイヤ装着内側に配置された前記陸部ブロックにおける周方向端縁の少なくとも一方側には、陸部ブロックと同一幅寸法でトレッド幅方向に延びる幅方向段差部が設けられ、
タイヤ装着外側に配置された前記陸部ブロックにおける幅方向端縁のうち周方向溝に隣接する側には、陸部ブロックと同一長さ寸法でタイヤ周方向に延びる周方向段差部が設けられ、
前記幅方向段差部および前記周方向段差部の最大高さは、陸部ブロックの高さよりも低い空気入りタイヤ。
【請求項２】
前記幅方向段差部および前記周方向段差部の高さは、前記陸部ブロックの高さに対して５０％以上に設定される請求項１に記載の空気入りタイヤ。
【請求項３】
前記幅方向段差部は、前記陸部ブロックにおける蹴出側の周方向端縁に設けられる請求項１または２に記載の空気入りタイヤ。
【請求項４】
前記幅方向段差部は、前記陸部ブロックにおける踏込側の周方向端縁に設けられる請求項１乃至３の何れか一項に記載の空気入りタイヤ。
【発明の詳細な説明】
【技術分野】
【０００１】
本発明は、空気入りタイヤに関し、特に、雪上性能と排水性能との両立を図ることができる空気入りタイヤに関する。
【背景技術】
【０００２】
従来から、トレッド部に複数の陸部ブロックが配設された空気入りタイヤにおいて、雪上性能を向上させるためにサイプを多数配置して、トレッド部が雪を引っ掻く効果（以下、エッジ効果）を増大させるものがある。しかし、サイプの形成によって陸部ブロックの剛性が低下するため、陸部ブロックの端部に段差部を設けてエッジ効果を増大させることにより雪上性能を向上させる技術が開発されている（例えば、特許文献１参照）。
【先行技術文献】
【特許文献】
【０００３】
【特許文献１】特開２００７−１３１０８５号公報
【発明の概要】
【発明が解決しようとする課題】
【０００４】
しかしながら、単に陸部ブロックに段差部を設けると、氷雪路での制駆動性能とコーナリング性能との両立を図ることが困難であり、常に、氷雪路での制駆動性能とコーナリング性能との両立を図ることが求められていた。
【０００５】
そこで、本発明の目的は、氷雪路での制駆動性能とコーナリング性能との両立を図ることができる空気入りタイヤを提供することにある。
【課題を解決するための手段】
【０００６】
本発明の第１の特徴は、タイヤ周方向に延びる周方向溝（周方向溝２〜５）と、トレッド幅方向に延びる横溝（横溝６，７）とによって画成される複数の陸部ブロック（陸部ブロック１０〜１３）を備え、タイヤ装着方向が指定されてネガティブキャンバーに設定される空気入りタイヤ（空気入りタイヤ１）であって、タイヤ装着内側に配置された前記陸部ブロック（陸部ブロック１０，１１）における周方向端縁の少なくとも一方側には、陸部ブロックと同一幅寸法でトレッド幅方向に延びる幅方向段差部（幅方向段差部２０，３０）が設けられ、タイヤ装着外側に配置された前記陸部ブロック（陸部ブロック１２）における幅方向端縁のうち周方向溝（周方向溝２）に隣接する側には、陸部ブロックと同一長さ寸法でタイヤ周方向に延びる周方向段差部（周方向段差部４０）が設けられ、前記幅方向段差部および前記周方向段差部の最大高さは、前記陸部ブロックの高さよりも低いことを要旨としている。
【０００７】
かかる特徴によれば、陸部ブロックに段差部を設けることにより、エッジ効果が増大し、雪上性能を向上させることができる。また、ネガティキャンバーに設定した場合は、装着外側に対して装着内側の方が接地圧力が大きくなるため、装着内側の陸部ブロックにトレッド幅方向に延びる幅方向段差部を設けことにより、氷雪路での制駆動性能を向上させることができる。一方、装着外側に周方向に延びる周方向段差部を設けることにより、氷雪路での車両走行時のコーナリング性能が向上する。このように、本発明によれば、氷雪路での制駆動性能とコーナリング性能との両立を図ることができる。
【０００８】
その他の特徴では、前記幅方向段差部（幅方向段差部２０，３０）および前記周方向段差部（周方向段差部４０）の高さは、前記陸部ブロック（陸部ブロック１０〜１３）の高さに対して５０％以上に設定されることを要旨としている。
【０００９】
その他の特徴では、前記幅方向段差部（幅方向段差部２０，３０）は、前記陸部ブロック（陸部ブロック１０〜１３）における蹴出側の周方向端縁に設けられることを要旨としている。
【００１０】
その他の特徴では、前記幅方向段差部（幅方向段差部２０，３０）は、前記陸部ブロック（陸部ブロック１０〜１３）における踏込側の周方向端縁に設けられることを要旨としている。
【発明の効果】
【００１１】
本発明に係る空気入りタイヤによれば、氷雪路での制駆動性能とコーナリング性能との両立を図ることができる。
【図面の簡単な説明】
【００１２】
【図１】本発明の実施形態による空気入りタイヤの陸部ブロックを示すトレッドパターンである。
【図２】図１のＡ−Ａ線による断面図である。
【図３】図１のＢ−Ｂ線による断面図である。
【発明を実施するための形態】
【００１３】
以下、本発明の実施の形態に係る空気入りタイヤの詳細を図面に基づいて説明する。但し、図面は模式的なものであり、各材料層の厚みやその比率などは現実のものとは異なることに留意すべきである。したがって、具体的な厚みや寸法は以下の説明を参酌して判断すべきものである。また、図面相互間においても互いの寸法の関係や比率が異なる部分が含まれている。
【００１４】
図１は、本発明の実施形態による空気入りタイヤの陸部ブロックを示すトレッドパターンである。本実施形態では、タイヤ装着方向が指定されてネガティブキャンバーに設定された空気入りタイヤについて説明する。
【００１５】
図１に示すように、空気入りタイヤ１のトレッド部には、タイヤ周方向に延びる周方向溝２，３，４，５と、トレッド幅方向に延びる横溝６，７とがそれぞれ複数設けられており、これらの周方向溝２〜５と横溝６，７とによって、表面にサイプ８が多数形成された陸部ブロック１０，１１，１２，１３が複数画成されている。
【００１６】
これらの陸部ブロック１０〜１３のうち、タイヤ装着方向の内側に配置された陸部ブロック１０，１１における周方向端縁の両側には、トレッド幅方向に延びる幅方向段差部２０，３０が形成されている。この幅方向段差部２０は、陸部ブロック１０における横溝６に対面する側面のエッジ部を切り欠いて形成しており、幅方向段差部３０は、陸部ブロック１１における横溝６に対面する側面のエッジ部を切り欠いて形成している。幅方向段差部２０，３０の幅方向長さは、陸部ブロック１０，１１の幅寸法と同一に設定されている。
【００１７】
一方、タイヤ装着方向の外側に配置された陸部ブロック１２における幅方向内側の端縁には、タイヤ周方向に延びる周方向段差部４０が形成されている。この周方向段差部４０は、陸部ブロック１２における周方向溝２に対面する側面のエッジ部を切り欠いて形成している。周方向段差部４０の周方向長さは、陸部ブロック１２の周方向長さと同一に設定されている。
【００１８】
図２は、図１のＡ−Ａ線による断面図である。
【００１９】
前述した幅方向段差部２０は、タイヤ径方向に延びる縦壁面２０ａと、該縦壁面２０ａに直交してタイヤ周方向に延びる棚面２０ｂと、から構成されている。また、幅方向段差部３０は、タイヤ径方向に延びる縦壁面３０ａと、該縦壁面３０ａに直交してタイヤ周方向に延びる棚面３０ｂと、から構成されている。このように、幅方向段差部２０，３０は、踏込側および蹴出側の双方に設けられている。そして、溝底６ａから陸部ブロック１０，１１のトレッド面Ｔｒまでの径方向長さである陸部ブロック１０，１１の高さはＨであり、溝底６ａから棚面２０ｂ，３０ｂの高さはｈ１である。ここで、高さｈ１は高さＨに対して５０％以上に設定されており、好ましくは５５％以上である。
【００２０】
図３は、図１のＢ−Ｂ線による断面図である。
【００２１】
前述した周方向段差部４０は、タイヤ径方向に延びる縦壁面４０ａと、該縦壁面４０ａに直交してタイヤ周方向に延びる棚面４０ｂと、から構成されている。そして、溝底２ａから陸部ブロック１２，１３のトレッド面Ｔｒまでの径方向長さである陸部ブロック１２，１３の高さはＨであり、溝底２ａから棚面４０ｂまでの高さはｈ２である。ここで、高さｈ２は高さＨに対して５０％以上に設定されており、好ましくは５５％以上である。
【００２２】
（作用・効果）
本実施形態では、陸部ブロックに段差部が設けられる。このため、エッジ効果が増大し、雪上性能を向上させることができる。また、ネガティキャンバーに設定した場合は、装着外側に対して装着内側の方が接地圧力が大きくなる。このため、装着内側の陸部ブロックにトレッド幅方向に延びる幅方向段差部を設けことにより制駆動性能を向上させることができる。一方、装着外側に周方向に延びる周方向段差部を設けることにより、車両走行時のコーナリング性能が向上する。このように、本実施形態によれば、制駆動性能とコーナリング性能との両立、特に、氷雪路面での制駆動性能とコーナリング性能との両立を図ることができる。なお、図１に示すように、装着外側に配置された陸部ブロック１２における周方向段差部４０は、周方向に対して若干幅方向に傾斜して延びているため、コーナリング性能のみならず、発進加速や制動性能にも寄与する。
【００２３】
本実施形態では、幅方向段差部２０，３０および周方向段差部４０の高さは、陸部ブロック１０〜１３の高さに対して５０％以上に設定されている。このため、空気入りタイヤ１が接地する際に雪を固める雪柱効果が増大し、氷雪路での制駆動性能が向上する。
【００２４】
なお、前述した実施の形態の開示の一部をなす論述および図面はこの発明を限定するものであると理解すべきではない。この開示から当業者には様々な代替実施の形態、実施例および運用技術が明らかとなろう。
【００２５】
例えば、前記実施形態では、装着内側に配置された陸部ブロックにおける周方向端縁の両側に幅方向段差部を形成したが、いずれか片方のみでも良い。
【００２６】
幅方向段差部を陸部ブロックの蹴出側に設けることにより、車両が雪面を走行する場合に、制動性能が向上するという効果がある。
【００２７】
また、幅方向段差部を陸部ブロックの踏込側に設けることにより、車両が雪面を走行する場合に、トラクション性能が向上するという効果がある。
【実施例】
【００２８】
次いで、本発明を実施例を通してさらに具体的に説明する。
【００２９】
従来例１〜２および本発明例１〜２について、サイズが２２５／４５Ｒ１７である空気入りタイヤを供試タイヤとした。従来例１，２に係る供試タイヤは、実施形態で説明した幅方向段差部および周方向段差部のいずれも設けておらず、従来例１に係る供試タイヤの周方向溝と横溝の溝幅寸法は９．５ｍｍ、および、従来例２に係る供試タイヤの周方向溝と横溝の溝幅寸法は１０．０ｍｍとした。
【００３０】
また、本発明例１，２に係る供試タイヤにおいては、前述した図１の部位に段差部を設けた。本発明例１に係る供試タイヤの周方向溝と横溝の溝幅寸法は８．５ｍｍ、および、本発明例２に係る供試タイヤの周方向溝と横溝の溝幅寸法は９．０ｍｍとした。本発明例１では段差部の高さは溝深さの５５％とし、本発明例２では段差部の高さは溝深さの５５％とした。
【００３１】
これらの供試タイヤをテスト車両（車名：Ａｕｄｉ  Ａ３）に組み付け、雪上走行性能、氷路走行性能、乾燥路走行性能、湿潤路の制動性能、および、湿潤路のハイドロプレーニング現象を検証した。
【００３２】
雪上走行性能は、各タイヤを装着したテスト車両で雪上路面のテストコースを走行し、従来例１に係るタイヤが装着された車両においての操縦安定性を１００とし、その他のタイヤが装着された車両の操縦安定性を評価した。
【００３３】
氷路走行性能は、各タイヤを装着したテスト車両で氷路のテストコースを走行し、従来例１に係るタイヤが装着された車両においての操縦安定性を１００とし、その他のタイヤが装着された車両の操縦安定性を評価した。
【００３４】
乾燥路走行性能は、各タイヤを装着したテスト車両で乾燥路のテストコースを走行し、従来例１に係るタイヤが装着された車両においての操縦安定性を１００とし、その他のタイヤが装着された車両の操縦安定性を評価した
湿潤路の制動性能は、各タイヤを装着したテスト車両が湿潤路のテストコースを２０ｋｍ／ｈで走行し、従来例１に係るタイヤが装着された車両において急ブレーキをかけて停止するまでの制動距離を１００とし、その他のタイヤが装着された車両の制動距離を評価した。
【００３５】
湿潤路のハイドロプレーニング現象は、各タイヤを装着したテスト車両が水深７ｍｍのプールを初速度５０ｋｍ／ｈで車両を走行し、従来例１に係るタイヤが装着された車両を徐序に加速させてハイドロプレーニング現象が生じた速度を１００とし、その他のタイヤが装着された車両のハイドロプレーニング現象が生じた速度を評価した。
【表１】
2011051431.tif 000003
【００３６】
この表１の結果から明らかなように、本発明例１，２の方が、従来例１，２に対して、ほとんど全ての項目で良好な結果が得られることが判明した。
【符号の説明】
【００３７】
２〜５…周方向溝
６…横溝
１０〜１３…陸部ブロック
２０，３０，４０…段差部
【図１】
2011051431.tif 000004
【図２】
2011051431.tif 000005
【図３】
2011051431.tif 000006